(57)【要約】【課題】万が一、外部発火源により化粧カバーが燃えた場合でも、内部に延焼するのを防止することができ、安全性の高い空気調和機の室外機を提供する。【解決手段】外部からの電線が接続される端子台と、前記端子台を収納する筐体と前記筐体の側面に設けられ外部からの電線の接続作業を行うための開口部と、その開口部を覆う板金製の保護カバーと、室内機と接続する配管接続部と、前記保護カバーで覆われた開口部と、配管接続部を同時に覆う樹脂製の化粧カバーを備えた空気調和機の室外機において、前記保護カバーの上部は、前記筐体の開口部より上部に挿入配置され、且つ幅方向は前記開口部の幅より大きくなっているため、保護カバーにより、内部に延焼することを防止できる。【選択図】図４
2011075264.tif 000002
【特許請求の範囲】
【請求項１】
外部からの電線が接続する端子台と、前記端子台を収納する筐体と、前記筐体の側面に設けられ外部からの電線の接続作業を行うための開口部と、該開口部を覆う金属製の保護カバーと、配管を接続する配管接続部と、前記開口部と前記保護カバーと前記配管接続部とを同時に覆う樹脂製の化粧カバーとを備えた空気調和機の室外機において、前記保護カバーの上部は、前記開口部より上部に位置するように挿入して配置固定され、且つ前記保護カバーの幅は前記開口部の幅より大なることを特徴とする空気調和機の室外機。
【請求項２】
前記保護カバーであって開口部の幅より大なる部分の左右両端の辺と、前記保護カバーの上辺とで囲まれる第１の面部が、該面に接続する第２の面部に対して鈍角となり、前記第２の面部に接続する第３の面部が、前記第２の面部に対して鈍角になるように折り曲げ部を有することを特徴とする請求項１記載の空気調和機の室外機。
【請求項３】
前記第１の面部および第３の面部は前記保護カバーを前記開口部に挿入して配置固定されたとき、前記室外機の筐体と略平行となることを特徴とする請求項２記載の空気調和機の室外機。
【請求項４】
前記第１の面部を構成する三辺の近傍を前記第１の面部に対して折り曲げたことを特徴とする請求項２〜３のいずれかに記載の空気調和機の室外機。
【請求項５】
前記第１の面部に対して折り曲げた部分の角をなす部分を斜めに切除して成形したことを特徴とする請求項４記載の空気調和機の室外機。
【発明の詳細な説明】
【技術分野】
【０００１】
本発明は端子台を覆う保護カバーを備えた空気調和機の室外機に関するものである。
【背景技術】
【０００２】
従来、この種の空気調和機の室外機は圧縮機と送風機を備え、外部からの配線が接続される端子台が設けられている。また、室外機の端子台接続部と配管接続部を覆う化粧カバーが取り付けられている。（例えば、特許文献１参照）。
【０００３】
図９は従来の空気調和機の室外機の分解斜視図を示すもので、外部からの電線が接続される端子台５１と、前記端子台５１を収納する筐体５２と前記端子台５１に接続する電線の接続作業を行うための開口部５３と、その開口部５３を覆う保護カバー５４と、室内機と接続する配管接続部５５と、前記保護カバー５４で覆われた開口部５３と、前期配管接続部５５とを同時に覆う樹脂製の化粧カバー５６から構成されている。
【先行技術文献】
【特許文献】
【０００４】
【特許文献１】特開平７−６３３７６号公報
【発明の概要】
【発明が解決しようとする課題】
【０００５】
しかしながら上記従来の空気調和機の室外機の構成では、外部からの電線を端子台５１に接続した後、保護カバー５４を取り付けるが、近年の室外機の高性能化、小型化に伴い、機械室内の発熱が大きくなり、保護カバー５４と開口部５３の間に隙間を開け、外部から冷却用の通風を取りいれる必要があり、完全に保護カバー５４と開口部５３の隙間を塞ぐことが困難となっている。また化粧カバー５６には、運搬時に使用する取っ手が設けられ、位置決めのためや強度確保のため、開口部５３より筐体５２の内部に一部を挿入して取り付けられている。そのため、万が一、外部の発火源により化粧カバー５６が燃えた場合、筐体５２と保護カバー５４の隙間から進入した炎や、化粧カバー５６の筐体５２の内部に挿入した部分が燃焼した炎により、室外機の内部まで延焼する恐れがある等の課題を有していた。
【０００６】
本発明は、上記従来の課題を解決するもので、安価な構成で、万が一、外部の発火源により化粧カバーが燃えた場合でも、室外機の内部までが延焼する恐れの少ない、安全性の高い空気調和機の室外機を提供することを目的とするものである。
【課題を解決するための手段】
【０００７】
前期従来の課題を解決するために、本発明の空気調和機の室外機は、外部からの電線が接続する端子台と、前記端子台を収納する筐体と、前記筐体の側面に設けられ外部からの電線の接続作業を行うための開口部と、該開口部を覆う金属製の保護カバーと、配管を接続する配管接続部と、前記開口部と前記保護カバーと前記配管接続部とを同時に覆う樹脂製の化粧カバーとを備えた空気調和機の室外機において、前記保護カバーの上部は、前記開口部より上部に位置するように挿入して配置固定され、且つ前記保護カバーの幅は前記開口部の幅より大なるように構成したものである。
【０００８】
この構成をなすことよって、万が一、外部発火源により化粧カバーが燃えた場合でも、保護カバーと開口部から進入したと炎が上方向に広がり、そこから内部に延焼するのを防止することができる。また化粧カバーの筐体の内部に挿入した部分が燃焼した炎からの延
焼を、保護カバーにより防止することができる。そのため、外部からの発火源による防炎性能を大幅に向上させることができる。
【発明の効果】
【０００９】
本発明の空気調和機の室外機は、安価な構成で、万が一、外部発火源により化粧カバーが燃えた場合でも、内部に延焼するのを防止することができる。また筐体内部に挿入された部位が燃焼した場合でも、内部に延焼するのを防止することができる。
【図面の簡単な説明】
【００１０】
【図１】本発明の実施の形態１における空気調和機の室外機の正面図
【図２】同室外機の側面図
【図３】同室外機の化粧カバーを除いた側面図
【図４】同室外機の要部分解斜視図
【図５】同室外機の要部内部詳細図
【図６】図５のＡ−Ａ断面図
【図７】本発明の実施の形態２における空気調和機の室外機の保護カバー図
【図８】本発明の実施の形態３における空気調和機の室外機の保護カバー図
【図９】従来の空気調和機の室外機の分解斜視図
【発明を実施するための形態】
【００１１】
第１の発明は、外部からの電線が接続する端子台と、前記端子台を収納する筐体と、前記筐体の側面に設けられ外部からの電線の接続作業を行うための開口部と、該開口部を覆う金属製の保護カバーと、配管を接続する配管接続部と、前記開口部と前記保護カバーと前記配管接続部とを同時に覆う樹脂製の化粧カバーとを備えた空気調和機の室外機において、前記保護カバーの上部は、前記開口部より上部に位置するように挿入して配置固定され、且つ前記保護カバーの幅は前記開口部の幅より大なる構成としたことにより、開口部の面積より広い範囲を保護カバーが覆うので、内部外部発火源により化粧カバーが燃えた場合でも、保護カバーと開口部より進入した炎が開口部より上部で燃え広がるのを防止することができる。
第２の発明は、特に第１の発明の保護カバーであって開口部の幅より大なる部分の左右両端の辺と、前記保護カバーの上辺とで囲まれる第一の面部が、該面に接続する第二の面部に対して鈍角となり、前記第二の面部に接続する第三の面部が、前記第二の面部に対して鈍角になるように折り曲げ部を有する構成とすることにより、前記保護カバーを前記開口部に取付ける際の作業性を良くすることができる。
【００１２】
第３の発明は、特に第２の発明の第１の面部および第３の面部は前記保護カバーを前記開口部に挿入して配置固定されたとき、前記室外機の筐体と略平行となるように構成することにより、前記保護カバーを前記開口部に取付ける際の作業性を良くすることができる。
【００１３】
第４の発明は、特に第２〜第３の発明の第１の面部を構成する三辺の近傍を前記第１の面部に対して折り曲げた構成とすることにより、外部発火源により、化粧カバーが燃えた場合でも、保護カバーと開口部の隙間より進入した炎が開口部より上部で燃え広がるのを防止することができる。
第５の発明は、特に第４の発明の第１の面部に対して折り曲げた部分の角をなす部分を斜めに切除して成形した構成とすることにより、保護カバーの着脱時に、前記斜めの部分が案内となり、保護カバーの着脱作業が容易となる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の室外機の正面図、図２は同室外機の側面図、図３は同室外機の化粧カバーを除いた側面図、図４は同室外機の要部分解斜視図、図５は同室外機の要部正面の内部詳細図、図６は図５のＡ−Ａ断面図を示す。
【００１６】
図１〜６において、室外機１は、内部に送風機（図示せず）と圧縮機２を有し、外部からの電線が接続される端子台３と、前記端子台３を収納する筐体４と前記筐体４の側面に設けられ外部からの電線の接続作業を行うための開口部５と、その開口部５を覆う板金製の保護カバー６と、室内機（図示せず）と接続する配管接続部７と、前記保護カバー６で覆われた開口部５と、配管接続部７を同時に覆う樹脂製の化粧カバー８を備え、前記保護カバー６の上部９は、前記筐体４の開口部５より上部に挿入配置され、且つ幅方向の寸法Ｗ１は前記開口部の幅Ｗ２より大きくなっている。
【００１７】
以上のように構成された空気調和機の室外機１について、以下その動作、作用を説明する。実際の工事作業は室内機（図示せず）と接続する配管（図示せず）を、右側板下部の配管接続部７に接続した後、外部からの電線を端子台３に接続後、保護カバー６を取り付ける。その際、保護カバー６の上部９の幅寸法Ｗ１は開口部５の幅寸法Ｗ２より大きくなっているため、若干、傾けて挿入する。その後、前記開口部５と前記配管接続部７を同時に覆う化粧カバー８を装着する。
【００１８】
一方、万が一、外部の発火源により、化粧カバー８が燃えた場合、開口部５と保護カバーの隙間から室外機１の本体内部の上部に炎が進入するが、保護カバー６が開口部５より挿入された上部７では保護カバー６の開口部５より広くなっている部分で炎が内部に進入するのを防ぐことができ、保護カバー６から内部に延焼するのを防止することができる。以上のように、本実施の形態においては、前記保護カバー６の上部９は、前記筐体４の開口部５より上部に挿入配置され、且つ幅方向の寸法Ｗ１は前記開口部の幅Ｗ２より大きくなっているため、保護カバー６が開口部５より挿入された上部では開口部５より広くなっている部分で炎の進入を防止することができ、保護カバー６から室外機１の内部に延焼するのを防止することができ、安全性の高い空気調和気の室外機を提供することが出来る。
【００１９】
（実施の形態２）
図７は、本発明の第２の実施の形態における空気調和機の室外機の保護カバーの斜視図である。なお、上記実施の形態と同一部分については同一符号を付してその説明を省略する。
本実施の形態は、保護カバー６の開口部の幅より大きくなっている部分を第１の面１３とし、第１の面１３に接続する部分を第２の面１４とし、第２の面１４に接続する部分を第３の面１５として、図のように相互に鈍角になるように曲げられて構成されているので、開口部に保護カバー６を挿入する際に作業性が良くなる。
【００２０】
さらに第１の面１３の左右両端１０と、上部先端１１を開口部５の方向に折り曲げているので保護カバー６が開口部５より挿入された上部で炎の内部への進入を防止することができ、保護カバー６から室外機１の内部に延焼するのを防止することができ、安全性の高い空気調和気の室外機を提供することが出来る。
（実施の形態３）
図７は、本発明の第３の実施の形態における空気調和機の室外機の保護カバーの斜視図である。なお、上記実施の形態と同一部分については同一符号を付してその説明を省略する。
本実施の形態は、保護カバー６の開口部の方向に折り曲げた部分の、各角部１２を切除して成形したので、保護カバー６の着脱時に切除した斜めの部分が案内となり、保護カバー
６の着脱作業が容易となる。
【産業上の利用可能性】
【００２１】
以上のように、本発明に係る空気調和機の室外機は、安価な構成で、万が一、外部発火源により化粧カバーが燃えた場合でも、保護カバーと開口部の間から進入した炎が上方向に広がり、そこから内部に延焼するのを防止することができる。また化粧カバーの筐体内部に挿入した部分が燃焼した炎からの延焼を、保護カバーにより防止することができるので、安全性が高く、圧縮機を内蔵するヒートポンプ式給湯機のなどにも適用できる。
【符号の説明】
【００２２】
１  室外機
３  端子台
４  筐体
５  開口部
６  保護カバー
７  配管接続部
８  化粧カバー
９  保護カバーの上部
１０  両端部
１１  先端部
１２  角部
【図１】
2011075264.tif 000003
【図２】
2011075264.tif 000004
【図３】
2011075264.tif 000005
【図４】
2011075264.tif 000006
【図５】
2011075264.tif 000007
【図６】
2011075264.tif 000008
【図７】
2011075264.tif 000009
【図８】
2011075264.tif 000010
【図９】
2011075264.tif 000011